(57)【要約】【課題】作動音を低減させることができるとともに容易に加工製造することができるポールとラチェットの打音低減構造を提供する。【解決手段】ポール２０とラチェット１０の打音低減構造１は、ポール２０は、爪先２１の一方の縁部２１ｂを露出するように覆う樹脂部２１０を有し、ラチェット１０は、隣り合うラチェット歯１１の間の谷底部１２が平面状に形成され、ポール２０の爪先２１をラチェット歯１１に係脱させながらポール２０側を移動させる際に、樹脂部２１０に覆われた他方の縁部側がラチェット歯１１に衝突し、ロック時には、露出した一方の縁部２１ｂがラチェット歯１１に当接した状態で他方の縁部を覆う樹脂部２１０が谷底部１２から隣のラチェット歯１１までの部分に押圧されないように平面状の谷底部１２の長さを設定した。【選択図】図１
2016034820.tif 000002
【特許請求の範囲】
【請求項１】
円弧状の外周側にラチェット歯が形成された、ベースおよび操作可能な可動体の何れか一方に設けられたラチェットと、前記ベースおよび前記可動体の他方に設けられた、先端の爪先が前記ラチェット歯に係脱可能なポールとから成り、前記可動体の操作とともに前記爪先を前記ラチェット歯に係脱させながら前記ポールまたは前記ラチェットを移動させて、所望の位置で前記ラチェットに対して前記ポールをロックおよびロック解除することを可能にしたポールとラチェットの打音低減構造において、
前記ポールは、前記爪先の一方の縁部を露出するように覆う樹脂部を有し、
前記ラチェットは、隣り合うラチェット歯の間の谷部に平面状の谷底部が形成され、前記ポールの爪先を前記ラチェット歯に係脱させながら前記ポール側を移動させる際に、前記樹脂部に覆われた他方の縁部側が前記ラチェット歯に衝突し、ロック時には、露出した前記一方の縁部がラチェット歯に当接した状態で前記他方の縁部を覆う樹脂部が前記谷底部から隣のラチェット歯までの部分に押圧されないように前記平面状の谷底部の長さを設定したことを特徴とするポールとラチェットの打音低減構造。
【請求項２】
前記ラッチェト歯から前記谷底部にかけての形状は、露出した前記ポールの爪先から一方の縁部にかけての形状に合致したものであることを特徴とする請求項１に記載のポールとラチェットの打音低減構造。
【請求項３】
ベースに回動可能に設けた操作レバーに連結されたブレーキケーブルを操作レバーの操作によって引き出したり戻したりしてブレーキを制動させたり、該制動を解除したりできるパーキングブレーキにおいて、
請求項１または２に記載のポールとラチェットの打音低減構造を備え、
前記ベースおよび前記可動体である前記操作レバーの何れか一方に前記ラチェットを設け、
前記ベースおよび前記操作レバーの他方に前記ポールを設けたことを特徴とするパーキングブレーキ装置。
【発明の詳細な説明】
【技術分野】
【０００１】
本発明は、作動音を低減させたポールとラチェットの打音低減構造に関し、特にパーキングブレーキに使用されるポールとラチェットの打音低減構造および該打音低減構造を備えたパーキングブレーキ装置に関する。
【背景技術】
【０００２】
従来のこの種の打音が主となる作動音を低減させるポールとラチェットの打音低減構造としては、例えば特許文献１に示す足踏み式パーキングブレーキ装置に使用されているものがある。  
【０００３】
すなわち、ポールであるロックパウルの表面を略全体に亘って樹脂材で一体に被覆してあり、これによってブレーキ作動操作時におけるロックパウルとラチェットであるセクタギヤとの摺動音や、ブレーキ解除操作時におけるリリースレバーとロックパウルとの当接音等の騒音を低減するものである。
【先行技術文献】
【特許文献】
【０００４】
【特許文献１】特開２０００−１７７５４６号公報
【発明の概要】
【発明が解決しようとする課題】
【０００５】
ところで、ポールとラチェットの打音低減構造の作動によって発生する騒音の主たる原因の一つとして、ラチェット歯に係脱しながら移動するポールの爪先とラチェット歯との衝突による打音がある。したがって、騒音を低減するための着眼点として、ポールの爪先とラチェット歯との衝突によって発生する打音自体を小さくすることがある。しかしながら、特許文献１に開示されている技術は、ポールの爪先とラチェット歯とが衝突して発生した直後の打音を低減することに着眼点をおいたものであり、衝突によって発生する打音自体を小さくするものではなく、新たな着眼点による改善の余地があった。
【０００６】
本発明は、このような従来の技術が有する問題点に着目してなされたもので、発生する打音自体を小さくすることによって作動音の低減ができるとともに、低減させた状態が永続し、さらに従来と変わらぬ容易さで加工製造することができるポールとラチェットの打音低減構造を提供することを目的としている。
【課題を解決するための手段】
【０００７】
かかる目的を達成するための本発明の要旨とするところは、次の各項の発明に存する。
［１］  円弧状の外周側にラチェット歯（１１）が形成された、ベース（Ｂ）および操作可能な可動体（Ｌ）の何れか一方に設けられたラチェット（１０）と、前記ベース（Ｂ）および前記可動体（Ｌ）の他方に設けられた、先端の爪先（２１）が前記ラチェット歯（１１）に係脱可能なポール（２０）とから成り、前記可動体（Ｌ）の操作とともに前記爪先（２１）を前記ラチェット歯（１１）に係脱させながら前記ポール（２０）または前記ラチェット（１０）を移動させて、所望の位置で前記ラチェット（１０）に対して前記ポール（２０）をロックおよびロック解除することを可能にしたポール（２０）とラチェット（１０）の打音低減構造（１）において、
前記ポール（２０）は、前記爪先（２１）の一方の縁部（２１ｂ）を露出するように覆う樹脂部（２１０）を有し、
前記ラチェット（１０）は、隣り合うラチェット歯（１１）の間の谷部に平面状の谷底部（１２）が形成され、前記ポール（２０）の爪先（２１）を前記ラチェット歯（１１）に係脱させながら前記ポール（２０）側を移動させる際に、前記樹脂部（２１０）に覆われた他方の縁部側が前記ラチェット歯（１１）に衝突し、ロック時には、露出した前記一方の縁部（２１ｂ）がラチェット歯（１１）に当接した状態で前記他方の縁部を覆う樹脂部（２１０）が前記谷底部（１２）から隣のラチェット歯（１１）までの部分に押圧されないように前記平面状の谷底部（１２）の長さを設定したことを特徴とするポール（２０）とラチェット（１０）の打音低減構造（１）。
【０００８】
［２］  前記ラッチェト歯（１１）から前記谷底部（１２）にかけての形状は、露出した前記ポール（２０）の爪先（２１）から一方の縁部（２１ｂ）にかけての形状に合致したものであることを特徴とする項［１］に記載のポール（２０）とラチェット（１０）の打音低減構造（１）。
【０００９】
［３］  ベース（Ｂ）に回動可能に設けた操作レバー（Ｌ）に連結されたブレーキケーブル（Ｃ）を操作レバー（Ｌ）の操作によって引き出したり戻したりしてブレーキを制動させたり、該制動を解除したりできるパーキングブレーキにおいて、
項［１］または［２］に記載のポール（２０）とラチェット（１０）の打音低減構造（１）を備え、
前記ベース（Ｂ）および前記可動体（Ｌ）である前記操作レバー（Ｌ）の何れか一方に前記ラチェット（１０）を設け、
前記ベース（Ｂ）および前記操作レバー（Ｌ）の他方に前記ポール（２０）を設けたことを特徴とするパーキングブレーキ装置（２）。
【００１０】
前記本発明は次のように作用する。  
項［１］のポール（２０）とラチェット（１０）の打音低減構造（１）によれば、可動体（Ｌ）を操作して所定方向に動かすとポール（２０）は、ラチェット（１０）の円弧状の外周側に形成されたラチェット歯（１１）に爪先（２１）が係脱しながらラチェット（１０）に対して相対的に移動する。可動体（Ｌ）の操作を所望の位置で止めるとポール（２０）の爪先（２１）がラチェット歯（１１）に係止してラチェット（１０）にロックされる。
【００１１】
可動体（Ｌ）の操作とともにポール（２０）がラチェット（１０）に対して係脱しながら相対的に移動している間は、ポール（２０）の爪先（２１）がラチェット歯（１１）を乗り越える度に樹脂部（２１０）に覆われた他方の縁部側がラチェット歯（１１）に衝突する。すなわち、ポール（２０）の爪先（２１）は直接にはラチェット歯（１１）に衝突せず、樹脂部（２１０）が直接にラチェット歯（１１）に衝突するので衝突音自体すなわち打音自体が小さくなり、したがって作動音が大幅に低減される。
【００１２】
可動体（Ｌ）の操作を所望の位置で止めると、ポール（２０）は、露出した爪先（２１）の一方の縁部（２１ｂ）が乗り越えたラチェット歯（１１）に当接してロックされる。このとき、爪先（２１）の最先端部（２１ａ）は隣り合うラチェット歯（１１）の間の平面状の谷底部（１２）に当接する。この平面状の谷底部（１２）の長さは、このロック状態で樹脂部（２１０）に覆われた他方の縁部側が谷底部（１２）から隣のラチェット歯（１１）までの部分を押圧しないように設定されているので、樹脂部（２１０）が押圧を受けることがない。したがって、長期間の使用を経ても樹脂部（２１０）の損傷が防止されるので、樹脂部（２１０）の損傷劣化に起因して打音が大きくなってしまう事態の発生を防止できる。
【００１３】
項［２］のポール（２０）とラチェット（１０）の打音低減構造（１）によれば、ラッチェト歯（１１）から谷底部（１２）にかけての形状は、露出したポール（２０）の爪先（２１）から一方の縁部（２１ｂ）にかけての形状に合致したものであるので、ロック時にがたつきが発生することがない。また、ポール（２０）の爪先（２１）の最先端部（２１ａ）が谷底部（１２）に受け止められているので、ポール（２０）の爪先（２１）がそれ以上に谷底部（１２）の方向に沈み込むことがない。ポール（２０）の爪先（２１）が谷底部（１２）の方向に沈み込むと樹脂部（２１０）に覆われた他方の縁部側が隣のラチェット歯（１１）を押圧する方向に進むが、爪先（２１）は谷底部（１２）の方向に沈み込むことができないので、樹脂部（２１０）が隣のラチェット歯（１１）に押圧することを確実に防止することができる。
【００１４】
項［３］のパーキングブレーキ装置（２）によれば、上記のポール（２０）とラチェット（１０）の打音低減構造（１）を備えているので、操作レバー（Ｌ）の操作にともなってポール（２０）がラチェット歯（１１）に対して係脱しながら相対的に移動する際に発生するポール（２０）とラチェット（１０）の衝突による打音が小さい。したがって、作動音が低減され、かつ、低減されている状態を永続的に維持することができる。
【発明の効果】
【００１５】
本発明にかかるポールとラチェットの打音低減構造によれば、可動体の操作とともにポールがラチェットに対して係脱しながら相対的に移動している間、ポールは樹脂部に覆われた他方の縁部側が次ぎのラチェット歯に衝突するので、樹脂部の緩衝効果によって打音自体が小さくなり、作動音が低減するとともに、ロック時には樹脂部がラチェット歯を押圧しないようにラチェット歯間の谷底部が設定されているので、ラチェット歯への樹脂部の押圧による樹脂部の損傷を防止することができ、打音を主とした作動音を低減させた状態を長期間に亘って維持することができる。
【００１６】
また、ラチェットは、ラチェット歯の谷底部の形状を平面状にしたものであり、複雑な形状に加工する必要がないので、従来の一般的なラチェットの製造と同様に容易に製造することができる。
【図面の簡単な説明】
【００１７】
【図１】本発明の一実施の形態に係るポールとラチェットの打音低減構造の主要部を側面から簡略して示す説明図である。
【図２】図１のポールとラチェットの打音低減構造を備えたパーキングブレーキ装置を簡略して示す側面図である。
【図３】本発明の一実施の形態に係るポールとラチェットの打音低減構造のポールを示す側面図である。
【図４】図３におけるＡ−Ａ線断面図である。
【図５】図１の状態からポールの爪先がラチェット歯を乗り越えた時のポールとラチェットの打音低減構造の状態を側面から簡略して示す説明図である。
【図６】図５の状態からロック状態になったときのポールとラチェットの打音低減構造の状態を側面から簡略して示す説明図である。
【図７】図６におけるポールの係止部分を示す拡大図である。
【発明を実施するための形態】
【００１８】
本発明は、ポールとラチェットの打音低減構造１および該打音低減構造を備えたパーキングブレーキ装置２に関するものである。  
以下、図面に基づき本発明の好適な一実施の形態を説明する。  
各図は本発明の一実施の形態を示している。  
図１は、本発明の一実施の形態に係るポールとラチェットの打音低減構造１の主要部を示す側面図であり、ポール２０の爪先２１の最先端部２１ａがラチェット歯１１の先端に載っている状態を示す側面図である。また、図５は、図１の状態からポール２０の爪先２１がラチェット歯１１を乗り越えた時の状態を示し、さらに図６は、図５の状態からロック状態になったときのポールとラチェットの打音低減構造１の状態を示す側面図である。
【００１９】
図２は、図１のポールとラチェットの打音低減構造１を備えたパーキングブレーキ装置２を示す側面図である。  
以下、ポールとラチェットの打音低減構造１についてパーキングブレーキ装置２に備えられたものとして説明する。図２に示したようにパーキングブレーキ装置２は、車両のボディー側に固定されたべースＢに枢軸３０を取り付け、該枢軸３０に操作レバーＬを回動可能に取り付けたものである。例示したパーキングブレーキ装置２は、足で操作レバーＬを操作するタイプのものであり、操作レバーＬは、ペダル板４０の基端部側が枢軸３０に取り付けられ、先端部には足による操作を受けるパッドｐが取り付けられている。パーキングブレーキ装置２は、これに限られず、手で起倒操作等をするものであってもよい。
【００２０】
ペダル板４０の基端部には、枢軸３０を間にして先端側とは反対側にブレーキケーブルＣを配索するためのドラム部４１が設けられている。このドラム部４１に配索されたブレーキケーブルＣの先端部は、固定部材４２によってペダル板４０に固定されている。これにより、パッドｐを踏み込んで操作レバーＬが矢印Ｒ方向に回転するとブレーキケーブルＣが引き出されてブレーキが制動するようになっている。
【００２１】
ベースＢの下部には、ラチェット１０が固定されている。このラチェット１０は、円弧状の板状金属部材の外周側にラチェット歯１１を形成したものである。ラチェット１０は、ラチェット歯１１が下になる向きに取り付けられている。
【００２２】
このラチェット歯１１に係脱するポール２０は、操作レバーＬのペダル板４０に取り付けられており、枢軸３０と先端部のパッドｐとの中間に配設されている。
【００２３】
ポール２０は、図３に示したように金属製のポール本体Ｐを樹脂部２１０によって覆ったものである。この樹脂部２１０は、ポール本体Ｐの表面を樹脂コーティングしたものである。
【００２４】
図４にも示したように、この樹脂部２１０は、ポール２０の爪先２１のうち、最先端部２１ａから一方の縁部２１ｂが露出するように形成されている。一方の縁部２１ｂの一方とは、操作レバーＬを踏み込む操作を行ったときにポール２０の進行方向とは反対側である。また、一方の縁部２１ｂは、より具体的に説明すると、爪先２１の最先端およびその極近傍周辺部分からラチェット歯１１に当接する周縁および該周縁の近傍の側面側部分である。
【００２５】
ポール２０は、爪先２１側と基端部との間に長穴２２が穿設されている。この長穴２２には、ペダル板４０に固設された軸３１が挿通されている。また、ポール２０の基端部にはトーションばね４３の一方のアーム４３ａのフック４４ａを係止させる係止孔２３が穿設されている。
【００２６】
ペダル板４０には軸３２が固設されており、該軸３２はトーションばね４３の輪の部分に通されている。トーションばね４３のもう一方のアーム４３ｂのフックは、ペダル板４０に穿設された係止孔４６に係止されている。
【００２７】
トーションばね４３は、図２の紙面上、ポール２０を左回転させる方向にポール２０を付勢している。この方向の回転を所定量に規制するためのストッパー４７がペダル板４０に固設されている。係止孔４６は、ポール２０の基端部よりも上方に配設されている。
【００２８】
次に、このポール２０が係止するラチェット１０をさらに詳しく説明する。図１、図５、図６および図７に示したように、ラチェット１０は、隣り合うラチェット歯１１の間の谷底部１２が平面状に形成されている。
【００２９】
図７は、ブレーキの制動状態をロックしたときのラチェット１０とポール２０を示す図６における係止部分を拡大して示すものであるが、この図７に示したように、ロック状態ではポール２０は、露出した最先端部２１ａから一方の縁部２１ｂにかけての部分がラチェット１０のラチェット歯１１に当接している。片や、一方の縁部２１ｂとは反対側の他方の縁部を覆う樹脂部２１０の周縁端２１０ｂは、隣のラチェット歯１１との間に僅かな間隙５０がある。この間隙５０は、樹脂部２１０の最先端部２１０ａ近傍から周縁端２１０ｂにかけて形成される。すなわち、谷底部１２は、ロック状態のときにポール２０の最先端部２１ａとラチェット歯１１との間に間隙５０が形成されるような長さに設定されている。
【００３０】
また、ラチェット歯１１から谷底部１２にかけての形状は、露出したポール２０の爪先２１の最先端部２１ａから一方の縁部２１ｂにかけての形状に合致するように形成されている。すなわち、ラチェット歯１１の傾斜した端縁の面および該端縁の面から平面状の谷底部１２に連なる曲面部分までの形状と、ポール２０の最先端部２１ａから縁部の端面に続く形状が一致するように形成されている。
【００３１】
次に、本実施の形態に係るポール２０とラチェット１０の打音低減構造１の作用を説明する。  
ブレーキを制動させるために操作レバーＬを足で踏み込むと、ポール２０は、ラチェット１０の円弧状の外周側に形成されたラチェット歯１１に爪先２１を係脱させながら操作レバーＬとともに移動する。このとき、操作レバーＬの踏込み量に比例してペダル板４０に連結されているブレーキケーブルＣが引っ張られる。これにより、発したブレーキの制動力が操作レバーＬの踏込み量に比例して大きくなる。
【００３２】
この移動中のポール２０とラチェット１０との状態の様子は、図１→図５→図６のように変動する。図１は、ポール２０の爪先２１の最先端部２１ａがラチェット１０のラチェット歯１１の一つの頂部に載った状態を示している。このとき、樹脂部２１０は、そのどの部分もラチェット歯１１に接触していない。この状態からさらに操作レバーＬが踏み込まれると、ポール２０は、図１の紙面上でラチェット１０に対して左方向に移動して、図５に示した状態となる。
【００３３】
図５は、ポール２０が移動して、移動方向にある次のラチェット歯１１との間の谷底部１２に爪先２１が落ちた時の状態を示しており、ポール２０がラチェット歯１１に衝突している。しかしながら、この衝突のときラチェット歯１１に直接に衝突している部分は樹脂部２１０の最先端部２１０ａであるので、金属製のポールがラチェット歯１１に衝突した場合に発生する打音に比べて、発生する打音は明らかに小さくなり、作動音は大きく低減される。
【００３４】
操作レバーＬを踏込み操作中には図１および図５に示したように、ペダル板４０の軸３１がポール２０の長穴２２の両端のうちラチェット１０寄りの端部に当接している。すなわち、ポール２０は、ラチェット１０から遠い位置にある。また、トーションばね４３からは、ポール２０をその移動方向にあるラチェット歯１１に向かう方向に付勢力を受けている。
【００３５】
図５の状態からさらに操作レバーＬの踏込みが継続されるときは、樹脂部２１０の周縁端２１０ｂがポール２０の進む方向にあるラチェット歯１１に接触しながら図１に示した状態を経て次々とラチェット歯１１を乗り越えて行く。したがって、ポール２０がラチェット歯１１を乗り越えるたびに低減された打音が発生する。
【００３６】
所定のブレーキ制動力を維持した状態にロックするために操作レバーＬの踏込みを止めてパッドｐから足を離すと、それまで操作レバーＬの踏み込みによって引っ張られてきたブレーキケーブルＣが戻されるので、図５の状態から図６の状態となってポール２０がラチェット１０に係止した状態になる。このとき、ペダル板４０の軸３１は、ポール２０の長穴２２の両端のうちラチェット１０から遠い方の端部に当接している。すなわち、ポール２０は、ラチェット１０に近い位置にある。また、この状態でポール２０がトーションばね４３から受ける付勢力の方向は、操作レバーＬの踏込み操作中とは反対方向であり、ポール２０が当接しているラチェット歯１１に向けてポール２０を押す方向である。
【００３７】
このロック状態では、既に図７を参照しながら説明したように、ポール２０の樹脂部２１０の周縁端２１０ｂは、隣のラチェット歯１１とは接触することなくそれらの間に僅かな間隙５０が形成されている。また、ポール２０の最先端部２１ａがラチェット１０の谷底部１２に当接しているので、ポール２０の爪先２１がラチェット歯１１とラチェット歯１１の谷部にさらに沈み込むようなことがない。
【００３８】
これにより、ロック状態において間隙５０は確実に維持されて、樹脂部２１０の周縁端２１０ｂがラチェット歯１１に押圧されることがない。また、周縁端２１０ｂに加わる力は、操作レバーＬの操作中にラチェット歯１１に衝突して加わる力だけであり、この力は小さいので、操作レバーＬの操作にともなうポール２０とラチェット歯１１との衝突によって樹脂部２１０が損傷されることを防止することができる。しがって、長期間に亘る多大な回数のパーキングブレーキ装置２の使用の間、打音自体が小さく、作動音が低減された状態を維持することができる。
【００３９】
以上、本発明の実施の形態を図面によって説明してきたが、具体的な構成は前述したような実施の形態に限られるものではなく、本発明の要旨を逸脱しない範囲における変更や追加があっても本発明に含まれる。例えば、樹脂部２１０は、ポール２０の表面をコーティングしたものに限られず、樹脂成型したカバーであっても良い。また、ラチェット歯１１とラチェット歯１１との間の谷底部１２の長さは、ブレーキのロック時において樹脂部２１０の最先端部２１０ａと隣のラチェット歯１１とが微かに接触する程度であっても良い。
【００４０】
さらに、本発明の実施の形態においては、ベースＢにラチェット１０を固設し、操作レバーＬにポール２０を配設した図面を示して説明したが、ラチェット１０とポール２０との配設位置を逆にして、操作レバーＬにラチェット１０を固設し、ベースＢにポール２０を配設しても良い。
【産業上の利用可能性】
【００４１】
本発明に係るポールとラチェットの打音低減構造は、パーキングブレーキ装置の制動力の引き出し、維持、解除に用いる場合に限らず、ポール側を可動体に設けてラチェット側に対して可動体の位置をロックしたり、解除したりする構成を有する装置に広く活用することができる。
【符号の説明】
【００４２】
Ｂ…ベース
Ｃ…ブレーキケーブル
Ｌ…操作レバー
ｐ…パッド
１…ポールとラチェットの打音低減構造
２…パーキングブレーキ装置
１０…ラチェット
１１…ラチェット歯
１２…谷底部
２０…ポール
２１…爪先
２１ａ…最先端部
２１ｂ…一方の縁部
２２…長穴
２３…係止孔
３０…枢軸
３１…軸
３２…軸
４０…ペダル板
４１…ドラム部
４２…固定部材
４３…トーションばね
４３ａ…アーム
４３ｂ…アーム
４４ａ…フック
４６…係止孔
４７…ストッパー
５０…間隙
２１０…樹脂部
２１０ａ…最先端部
２１０ｂ…周縁端
【図１】
2016034820.tif 000003
【図２】
2016034820.tif 000004
【図３】
2016034820.tif 000005
【図４】
2016034820.tif 000006
【図５】
2016034820.tif 000007
【図６】
2016034820.tif 000008
【図７】
2016034820.tif 000009